(57)【要約】【課題】環境制御機構に合わせて操作機構を利用することにより、個人慣習に応じて、浴室を使用する時の水温や必要とする匂い及び浴槽の機能を設定でき、ユーザーが、使用する時、より快適且つ便利になるシャワー環境リモートコントローラを提供する。【解決手段】制御ユニットと発信ユニット、温度設定ユニット、匂い設定ユニット及び機能設定ユニットを有する操作機構と、処理ユニットと受信ユニット、スイッチユニット、温度制御モジュール、匂い制御モジュール及び機能制御モジュールを有し、また、少なくとも、匂い制御モジュールに対応する出力部を有する、該操作機構からの設定信号を受信して実行する環境制御機構とが含有される。【選択図】図１
0003143472.tif 000002
【実用新案登録請求の範囲】
【請求項１】
少なくとも、制御ユニットと発信ユニット、温度設定ユニット、匂い設定ユニットと機能設定ユニットが含有され、該制御ユニットが、それぞれ、該発信ユニットと該温度設定ユニット、該匂い設定ユニット及び該機能設定ユニットに連接される操作機構と、
上記操作機構からの設定信号を受信して実行でき、少なくとも、処理ユニットと受信ユニット、スイッチユニット、温度制御モジュール、匂い制御モジュール及び機能制御モジュールが含有され、該処理ユニットが、それぞれ、該受信ユニットと該スイッチユニット、該温度制御モジュール、該匂い制御モジュール及び該機能制御モジュールに連接され、また、少なくとも、該匂い制御モジュールに対応する出力部がある環境制御機構とが含有されることを特徴とするシャワー環境リモートコントローラ。
【請求項２】
該制御ユニットと該発信ユニット、該温度設定ユニット、該匂い設定ユニット及び該機能設定ユニットが、ホウジングに収納され、該ホウジングの一端面にパネルが設けられ、該パネルに、該制御ユニットに連接されるスクリーンと、複数の該制御ユニットに連接されるボタンが設けられることを特徴とする請求項１に記載のシャワー環境リモートコントローラ。
【請求項３】
該制御ユニットと該発信ユニット、該温度設定ユニット、該匂い設定ユニット及び該機能設定ユニットが、ホウジングに収納され、該ホウジングの一端面にパネルが設けられ、該パネルに、複数の該温度制御モジュールと該匂い制御モジュール及び該機能制御モジュールに連接されるボタンがあることを特徴とする請求項１に記載のシャワー環境リモートコントローラ。
【考案の詳細な説明】
【技術分野】
【０００１】
本考案は、シャワー環境リモートコントローラに関し、特に、個人の慣習に合わせて浴室を使用する時の水温や匂い及び浴槽の機能を設定でき、ユーザーに、より良い快適性と便利性が得られる。
【背景技術】
【０００２】
按、一般の従来の浴室において、該空間に淋浴ユニットや便座、浴槽及び洗面台等の衛生浴室設備等が設置され、ユーザーが、それを利用して、体を清潔する。
【０００３】
上記の従来の浴室により、ユーザーが体を清潔する効果が得られるが、一般浴室は、ユーザーが熱水を使用する時、一般として、熱水器が点火するための所定の時間を待たないと、熱水を使用できず、また、自分で冷水と熱水の出水量を調整することにより、必要とする出水温度が得られ、そのため、水資源を無駄にすることだけでなく、使用上、不便であり、また、ユーザーが、精油や他の香味を添加する時、異なる匂いである精油や香精を、それぞれ、専用の容器に収納して、使用する時、それを取り出して浴槽に置き入れ、そのため、使用上、不便であり、また、浴室に瓶や缶が一杯に置かれて、美観に悪影響を与え、また、空間を占用する問題点がある。
【考案の開示】
【考案が解決しようとする課題】
【０００４】
本考案の主な目的は、環境制御機構に合わせて操作機構を利用して、個人の慣習に応じて、浴室を使用する時の水温や必要とする匂い及び浴槽の機能を設定し、ユーザーが浴室を使用する時、より快適且つ便利になる。
【課題を解決するための手段】
【０００５】
請求項１の考案は、少なくとも、制御ユニットと発信ユニット、温度設定ユニット、匂い設定ユニットと機能設定ユニットが含有され、該制御ユニットが、それぞれ、該発信ユニットと該温度設定ユニット、該匂い設定ユニット及び該機能設定ユニットに連接される操作機構と、上記操作機構からの設定信号を受信して実行でき、少なくとも、処理ユニットと受信ユニット、スイッチユニット、温度制御モジュール、匂い制御モジュール及び機能制御モジュールが含有され、該処理ユニットが、それぞれ、該受信ユニットと該スイッチユニット、該温度制御モジュール、該匂い制御モジュール及び該機能制御モジュールに連接され、また、少なくとも、該匂い制御モジュールに対応する出力部がある環境制御機構と、が含有される、ことを特徴とするシャワー環境リモートコントローラである。
【０００６】
請求項２の考案は、該制御ユニットと該発信ユニット、該温度設定ユニット、該匂い設定ユニット及び該機能設定ユニットが、ホウジングに収納され、該ホウジングの一端面にパネルが設けられ、該パネルに、該制御ユニットに連接されるスクリーンと、複数の該制御ユニットに連接されるボタンが設けられることを特徴とする請求項１に記載のシャワー環境リモートコントローラである。
【０００７】
請求項３の考案は、該ホウジングが、軽量硬質の耐熱材質からなり、また、もう一端面に、円弧部があることを特徴とする請求項２に記載のシャワー環境リモートコントローラである。
【０００８】
請求項４の考案は、該制御ユニットと該発信ユニット、該温度設定ユニット、該匂い設定ユニット及び該機能設定ユニットが、ホウジングに収納され、該ホウジングの一端面にパネルが設けられ、該パネルに、複数の該温度制御モジュールと該匂い制御モジュール及び該機能制御モジュールに連接されるボタンがあることを特徴とする請求項１に記載のシャワー環境リモートコントローラである。
【０００９】
請求項５の考案は、該ホウジングが、軽量硬質の耐熱材質からなり、また、もう一端面に、円弧部があることを特徴とする請求項４に記載のシャワー環境リモートコントローラである。
【００１０】
請求項６の考案は、該操作機構に、該匂い制御モジュールの匂いに対応する識別区があることを特徴とする請求項１に記載のシャワー環境リモートコントローラである。
【００１１】
請求項７の考案は、該発信ユニットと受信ユニットが、赤外線通信システムであることを特徴とする請求項１に記載のシャワー環境リモートコントローラである。
【００１２】
請求項８の考案は、該発信ユニットと該受信ユニットが、ＷＩＦＩ通信システムであることを特徴とする請求項１に記載のシャワー環境リモートコントローラである。
【００１３】
請求項９の考案は、該発信ユニットと該受信ユニットが、ブルートゥース通信システムであることを特徴とする請求項１に記載のシャワー環境リモートコントローラである。
【００１４】
請求項１０の考案は、該処理ユニットと該受信ユニット、該スイッチユニット、該温度制御モジュール、該匂い制御モジュール及び該機能制御モジュールが、被覆ユニットに設置され、また、該被覆ユニットの一側に、該匂い制御モジュールに対応する出力部が連通されることを特徴とする請求項１に記載のシャワー環境リモートコントローラである。
【００１５】
請求項１１の考案は、該温度制御モジュールが、外部熱水器連接。ことを特徴とする請求項１に記載のシャワー環境リモートコントローラである。
【００１６】
請求項１２の考案は、該匂い制御モジュールに、少なくとも花弁供給ユニット、精油供給ユニット、シャワーシャンプー供給ユニット及び温泉粉供給ユニットが含有されることを特徴とする請求項１に記載のシャワー環境リモートコントローラである。
【００１７】
請求項１３の考案は、該機能制御モジュールに、浴槽のマッサージ機械が連接されることを特徴とする請求項１に記載のシャワー環境リモートコントローラである。
【００１８】
請求項１４の考案は、該環境制御機構が、更に、該処理ユニットに連接され、温度と匂いを検知するためのセンサユニットを有することを特徴とする請求項１に記載のシャワー環境リモートコントローラである。
【考案を実施するための最良の形態】
【００１９】
図１乃至４は、それぞれ、本考案に係わる操作機構の立体外観概念図と本考案に係わる操作機構のブロック概念図、本考案に係わる環境制御機構の立体外観概念図及び本考案に係わる環境制御機構のブロック概念図である。図のように、本考案は、シャワー環境リモートコントローラであり、少なくとも、操作機構１と環境制御機構２から構成され、環境制御機構２に合わせて操作機構１を利用することにより、個人の慣習に応じて浴室を使用する時の水温や必要とする匂いや浴槽の機能を設定でき、ユーザーが使用する時、より快適且つ便利になる。
【００２０】
上記の操作機構１は、制御ユニット１１があり、該制御ユニット１１は、少なくとも、それぞれ、発信ユニット１２と温度設定ユニット１３、匂い設定ユニット１４及び機能設定ユニット１５が連接され、該制御ユニット１１の発信ユニット１２と温度設定ユニット１３、匂い設定ユニット１４及び機能設定ユニット１５が、ホウジング１０に収納され、該ホウジング１０は、軽量硬質の耐熱材質からなり、また、該ホウジング１０の一端面に、パネル１０１が設けられ、また、もう一端面に、円弧部１０２を有し、該パネル１０１は、制御ユニット１１に連接されるスクリーン１６と、複数の制御ユニット１１に連接されるボタン１７があり、また、該操作機構１に、匂いを識別するための識別区１８が設置される。
【００２１】
該環境制御機構２は、上記の操作機構１から設定信号を受信して実行し、処理ユニット２１があり、該処理ユニット２１は、少なくとも、それぞれ、受信ユニット２２とスイッチユニット２３、温度制御モジュール２４、匂い制御モジュール２５及び機能制御モジュール２６が連接され、該処理ユニット２１と該受信ユニット２２、該スイッチユニット２３、該温度制御モジュール２４、該匂い制御モジュール２５及び該機能制御モジュール２６は、被覆ユニット２０の中に設置され、また、該被覆ユニット２０の一側に、該匂い制御モジュール２５に対応する出力部２０１が連通され、該操作機構１の発信ユニット１１と該環境制御機構２の受信ユニット２２は、赤外線通信システムやＷＩＦＩ通信システム或いはブルートゥース通信システムであり、また、該匂い制御モジュール２５は、少なくとも、花弁供給ユニット２５１と精油供給ユニット２５２、シャワーシャンプー供給ユニット２５３及び温泉粉供給ユニット２５４が含有される。上記の構造により、新規のシャワー環境リモートコントローラが構成される。
【００２２】
図５と６は、それぞれ、本考案の使用状態概念図と本考案の使用状態の流れ概念図である。図のように、本考案を利用する時、環境制御機構２を浴槽３の適当な位置に設置して、また、該環境制御機構２の出力部２０１を該浴槽３に対応するようにして、温度制御モジュール２４を外部熱水器４に連接し、そして、機能制御モジュール２６を、該浴槽３のマッサージ機械３１に連接する。
【００２３】
使用する時、ユーザーが、操作機構１上のボタン１７を押すことにより、制御ユニット１１が、温度や必要とする匂い及び浴槽機能のオプションを、スクリーン１６に表示させ、これにより、ユーザーが、ボタン１７で必要とする設定オプションを選択でき、
例えば、ユーザーが温度設定を選択する時、該制御ユニット１１と温度設定ユニット１３を利用して、該ボタン１７で設定しようとする温度を選択し、その後、発信ユニット１２により、温度設定の信号を送信すると、該環境制御機構２の受信ユニット２２が該操作機構１からの温度設定信号を受信してから、処理ユニット２１により、該温度設定信号がスイッチユニット２３を介して該温度制御モジュール２４へ伝送され、これにより、該温度制御モジュール２４により、該外部熱水器４を適当な出水温度に制御し、
例えば、ユーザーが匂い設定を選択する時、該制御ユニット１１と匂い設定ユニット１４を利用して、該ボタン１７で使用しようとする匂いを選択し、そして、予めに該操作機構１上の識別区１８を利用して、予めに匂い制御モジュール２５に存在する匂いを嗅いで見て、決定すると、該発信ユニット１２により匂い設定信号を送信し、該環境制御機構２は、受信ユニット２２により該操作機構１からの匂い設定信号を受信してから、該処理ユニット２１により、該匂い設定信号が、該スイッチユニット２３を介して該匂い制御モジュール２５へ伝送され、これにより、該匂い制御モジュール２５により、ユーザーの選択に合わせて花弁供給ユニット２５１や精油供給ユニット２５２、シャワーシャンプー供給ユニット２５３或いは温泉粉供給ユニット２５４により、該出力部２０１から選択された匂いを該浴槽３に供給し、
例えば、ユーザーが機能設定を選択する時、該制御ユニット１１と機能設定ユニット１５を利用して、該ボタン１７で使用しようとする機能を選択し、例えば、該浴槽３のマッサージ機械３１を駆動する場合、その後、該発信ユニット１２により、設定された駆動機能信号を送信し、該環境制御機構２は、受信ユニット２２により該操作機構１からの駆動機能信号を受信して、該処理ユニット２１により該駆動機能信号が該スイッチユニット２３を介して該機能制御モジュール２６へ伝送され、これにより、該機能制御モジュール２６が、該浴槽３のマッサージ機械３１を駆動して、ユーザーが使用できるようになり、そのため、該操作機構１を利用して、そして、該環境制御機構２に合わせて、個人慣習に応じて浴室を使用する時の水温や必要とする匂い及び該浴槽３の機能を設定でき、ユーザーがより快適且つ便利に、浴室を使用できる。
【００２４】
図７は、本考案の他の使用状態概念図である。図のように、本考案に係わる環境制御機構２は、更に、処理ユニット２１に連接され、温度と匂いを検知するセンサユニット２７が設けられ、ユーザーが温度や匂いを設定してから、該センサユニット２７で水温や環境の匂い濃度をセンサして、スイッチユニット２３で、所定の基準になるように連続的に温度制御モジュール２４や匂い制御モジュール２５を制御して、基準になる時、該処理ユニット２１は、該スイッチユニット２３で該温度制御モジュール２４と該匂い制御モジュール２５を停止するように制御する。
【００２５】
図８と９は、本考案に係わる操作機構の他の実施例の立体外観概念図と本考案に係わる操作機構の他の実施例のブロック概念図である。図のように、本考案の操作機構は、利用する時、上記の構造態様の他に、該操作機構１ａのパネル１０１は、直接に温度設定ユニット１３と匂い設定ユニット１４及び機能設定ユニット１５に連接される複数のボタン１３１、１４１、１５１が設けられ、これにより、ユーザーが直接にボタン１３１、１４１、１５１を押すことにより、水温や必要とする匂い及び浴槽機能の設定を行う。
【００２６】
上記のように、本考案に係わるシャワー環境リモートコントローラは、有効に従来の諸欠点を解消でき、環境制御機構に合わせて操作機構を利用することにより、個人慣習に応じて浴室を使用する時の水温や必要とする匂い及び浴槽の機能を設定でき、ユーザーが、使用する時より快適且つ便利になり、本考案は、より進歩的かつより実用的で、法に従って実用新案登録請求を出願する。
【００２７】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２８】
【図１】本考案に係わる操作機構の立体外観概念図
【図２】本考案に係わる操作機構のブロック概念図
【図３】本考案に係わる環境制御機構の立体外観概念図
【図４】本考案に係わる環境制御機構のブロック概念図
【図５】本考案の使用状態概念図
【図６】本考案の使用状態の流れ概念図
【図７】本考案の他の使用状態概念図
【図８】本考案に係わる操作機構の他の実施例の立体外観概念図
【図９】本考案に係わる操作機構の他の実施例のブロック概念図
【符号の説明】
【００２９】
１、１ａ      操作機構
１０          ホウジング
１０１        パネル
１０２        円弧部
１１          制御ユニット
１２          発信ユニット
１３          温度設定ユニット
１３１、１４１、１５１        ボタン
１４          匂い設定ユニット
１５          機能設定ユニット
１６          スクリーン
１７          ボタン
１８          識別区
２            環境制御機構
２０          被覆ユニット
２０１        出力部
２１          処理ユニット
２２          受信ユニット
２３          スイッチユニット
２４          温度制御モジュール
２５          匂い制御モジュール
２５１        花弁供給ユニット
２５２        精油供給ユニット
２５３        シャワーシャンプー供給ユニット
２５４        温泉粉供給ユニット
２６          機能制御モジュール
２７          センサユニット
３            浴槽
３１          マッサージ機械
４            熱水器
【図１】
0003143472.tif 000003
【図２】
0003143472.tif 000004
【図３】
0003143472.tif 000005
【図４】
0003143472.tif 000006
【図５】
0003143472.tif 000007
【図６】
0003143472.tif 000008
【図７】
0003143472.tif 000009
【図８】
0003143472.tif 000010
【図９】
0003143472.tif 000011